(57)【要約】【課題】ドア本体に特殊な加工を施す必要が無い上、ドアを設置する開口部の幅を減少させることや、玄関スペースまたは廊下の開口幅を狭くすることなく施工することが可能となる玄関ドアとその施工方法を提供する。【解決手段】方形に組まれた中骨６の4周を表面板９，１０の周囲で覆って固定することによりドア本体５を構成する。枠当接部１３ａと取付け部１３ｂとを有する気密材１３を、取付け部１３ｂをドア本体５の四周の見込み面５ｂに固定部材１４によって固定することにより取付ける。枠当接部１３ａはドア枠１のドア本体当接面２ａとドア本体５の室内側見付け面５ａとの間で挟持する。【選択図】図１
2012180686.tif 000002
【特許請求の範囲】
【請求項１】
左右の縦中骨および上下の横中骨で中骨を組み、前記中骨の4周を表面板の周囲で覆って固定することにより構成したドア本体と、
ドア枠のドア本体当接面と前記ドア本体の室内側見付け面との間で挟持される枠当接部、および前記枠当接部と一体をなして前記ドア本体の見込み面に取付ける取付け部とを有する気密材と、
前記ドア本体の４周の見込み面に固定され、前記気密材の前記取付け部を前記見込み面に固定する固定部材とを備えたことを特徴とする玄関ドア。
【請求項２】
請求項１に記載の玄関ドアにおいて、
前記気密材に設ける前記取付け部を、先端を尖らせた形状に形成すると共に、前記取付け部が前記ドア本体の見込み面と前記固定部材との間に押し込まれて取付けられる構造を有することを特徴とする玄関ドア。
【請求項３】
請求項１に記載の玄関ドアにおいて、
前記気密材の前記取付け部の室内側部分を、前記固定部材とほぼ同じ厚みに形成したことを特徴とする玄関ドア。
【請求項４】
左右の縦中骨および上下の横中骨で中骨を組み、この中骨の4周を表面板の周囲で覆って前記表面板を前記中骨に固定することによりドア本体を構成し、
前記ドア本体とドア枠との間に介在させる気密材を、枠当接部と取付け部とからなる構造に形成し、
前記気密材の前記枠当接部を前記ドア本体の室内側見付け面に当接させ、前記付け部を前記ドア本体の見込み面に当接させるとともに、前記取付け部を、前記ドア本体の見込み面と、前記見込み面に固定する固定部材とで挟持することにより、前記気密材を前記ドア本体に取付け、
前記気密材を取付けたドア本体を玄関開口部に固定されたドア枠に蝶番によって取付けることを特徴とする玄関ドアの施工方法。
【発明の詳細な説明】
【技術分野】
【０００１】
本発明は、公共住宅やマンション等の集合住宅の玄関に設置されるドアとその施工方法に係り、特に既設のドア枠に新設ドアを設置する場合に好適なものに関する。
【背景技術】
【０００２】
建築後２０年超の集合住宅においては、玄関ドアの美観の向上、および遮音性、断熱性、防犯性、操作性等の向上を目的として、新設ドアに改装することが行なわれる。特におよそ昭和５０年以前の集合住宅の玄関ドアは、ドア本体とドア枠との間に気密材が無く、その上、ドア本体も片面プレスドアという一枚鋼板が主流で、遮音性、断熱性、防犯性の面において、現在の玄関ドアよりはるかに劣っているので、新設ドアに改装することが必要となる。
【０００３】
このような新設ドアを施工する場合、従来はドアを取付けている玄関開口部のドア枠を枠ハツリ工法や枠引き抜き工法により外し、新たなドア枠を玄関開口部に取付けるとともに、新設ドアを取付けていた。しかしながらこのような枠ハツリ工法や枠引き抜き工法によると、騒音や粉塵が発生する上、工事時間が長くなるという問題点があった。
【０００４】
このような問題点を解決する工法として、新設ドアを施工する場合の工法は、枠カバー工法が主流となってきている。この枠カバー工法は、図５に示すように、既設ドア枠６０を除去せずに残し、この既設ドア枠６０に気密材６３を取付けたカバー枠５９を空隙を設けて設置し、このカバー枠５９にドア本体６２を設置する方法である。しかしながらこのような「かぶせ工法（カバー工法）」では開口幅Ｗ２や開口高さが既存の開口幅Ｗ１や開口高さより減少するという問題点があった。
【０００５】
また、前記問題点を解決する別の手段として、別の枠カバー工法も提示されている。この枠カバー工法は、図６に示すように、既設ドア枠６０を除去せずに残し、この既設ドア枠６０にカバー部材６１を重ね、このカバー部材６１によりドア本体６２との対向面６０ａに気密材６３を取付けてドア本体６２を施工する工法である（特許文献１参照）。
【０００６】
また、前記問題点を解決する別の手段として、図７に一例を示すように、既設のドア枠６０を除去せずに残し、ドア本体６２の室内側見付け面６２ａのコーナー部に凹状あるいは図示のような段状溝６２ｂを設け、この溝６２ｂに既設ドア枠６０のドア対向面６０ａに当接させる気密材６４を取付けたものがある（特許文献２〜６参照）。
【０００７】
また、前記問題点を解決する別の手段として、図８に一例を示すように、既設のドア枠６０を除去せずに残し、この既設ドア枠６０の室外側に、既設ドア枠６０の開口幅Ｗ１と同じ開口幅の新設ドア枠６５を取付け、この新設ドア枠６５に気密材６６を取付け、新設ドア枠６５を既設ドア枠６０よりＬに示す幅だけ室外側に突出させたものがある。
【先行技術文献】
【特許文献】
【０００８】
【特許文献１】特許第３６００５５７号公報
【特許文献２】特開２００８−１４４４７４号公報
【特許文献３】特開２００９−２２１７５７号公報
【特許文献４】特開２００９−２２１７５６号公報
【特許文献５】特許第４１４７２０１号公報
【特許文献６】特許第４２３５２５３号公報
【発明の概要】
【発明が解決しようとする課題】
【０００９】
しかしながら、前述のように図５に示した枠カバー工法によれば、開口幅や開口高さが減少するという問題点があり、図６に記載の枠カバー工法によっても同様に、カバー部材６１が開口部に取付けられることにより、開口幅Ｗ３や開口高さが既設ドア枠６０の開口幅Ｗ１や開口高さより狭くなる。このため、家具や家電の買い替えや引越しの際に、この狭い開口幅が重大な支障をきたすおそれがある。特におよそ昭和５０年以前建築の集合住宅は、玄関の開口幅が８００ｍｍ、開口高さが１８００ｍｍと現在より狭い玄関ドアが主流であったため、このような開口幅の減少や開口高さの減少は家具や家電の買い替えや引越しの際に重大な支障をきたすおそれがある。
【００１０】
一方、図７に記載のように、ドア本体６２の室内側見付け面６２ａのコーナー部に段状や凹状等の溝６２ｂを設け、この溝６２ｂに気密材６４を取付けたものでは、前記開口幅Ｗ１を減少させないという利点はあるものの、ドア本体６２に気密材６４を取付けるための溝６２ｂを設ける必要があり、このため、中骨６７や表面材６８に特別な折り曲げ加工を施す必要がある。また、このような特殊な加工を施すため、構造が複雑化し、その結果、単純な構造の従来のドア本体に適用できず、コスト高を招くという問題点がある。
【００１１】
また、図８に記載のように、既設ドア枠６０の室外側に新設ドア枠６５を取付ける構造においては、新設ドア枠６５が開口部からの突出するため、玄関前のスペースまたは廊下の開口幅を狭くし、やはり家具や家電の買い替えや引越しの際に重大な支障をきたすおそれがあると共に避難通路幅の減少という問題も生じさせる。
【００１２】
本発明は、上記問題点に鑑み、ドア本体に特殊な加工を施す必要が無い上、ドアを設置する開口部の幅を減少させることや、玄関スペースまたは廊下の開口幅を狭くすることなく施工することが可能となる玄関ドアとその施工方法を提供することを目的とする。
【課題を解決するための手段】
【００１３】
請求項１の玄関ドアは、
左右の縦中骨および上下の横中骨で中骨を組み、前記中骨の4周を表面板の周囲で覆って固定することにより構成したドア本体と、
ドア枠のドア本体当接面と前記ドア本体の室内側見付け面との間で挟持される枠当接部、および前記枠当接部と一体をなして前記ドア本体の見込み面に取付ける取付け部とを有する気密材と、
前記ドア本体の４周の見込み面に固定され、前記気密材の前記取付け部を前記見込み面に固定する固定部材とを備えたことを特徴とする。
【００１４】
請求項２の玄関ドアは、請求項１に記載の玄関ドアにおいて、
前記気密材に設ける前記取付け部を、先端を尖らせた形状に形成すると共に、前記取付け部が前記見込み面と前記固定部材との間に押し込まれて取付けられる構造を有することを特徴とする。
【００１５】
請求項３の玄関ドアは、請求項１に記載の玄関ドアにおいて、
前記気密材の前記取付け部の室内側部分を、前記固定部材とほぼ同じ厚みに形成したことを特徴とする。
【００１６】
請求項４の玄関ドアの施工方法は、
左右の縦中骨および上下の横中骨で中骨を組み、この中骨の4周を表面板の周囲で覆って前記表面板を前記中骨に固定することによりドア本体を構成し、
前記ドア本体とドア枠との間に介在させる気密材を、枠当接部と取付け部とからなる構造に形成し、
前記気密材の前記枠当接部を前記ドア本体の室内側見付け面に当接させ、前記取付け部を前記ドア本体の見込み面に当接させるとともに、前記取付け部を、前記ドア本体の見込み面と、前記見込み面に固定する固定部材とで挟持することにより、前記気密材を前記ドア本体に取付け、
前記気密材を取付けたドア本体を玄関開口部に固定されたドア枠に蝶番によって取付けることを特徴とする。
【発明の効果】
【００１７】
請求項１、４の発明によれば、玄関開口部に固定されたドア枠に新設ドア枠やカバー材を取付ける必要がないため、開口部の縦横の幅を狭めたり、開口部から玄関の前に枠が突出することがない。このため、開口幅が狭い場合であっても、有効開口や玄関前のスペースまたは廊下を狭めずに、新しいドア本体の施工により、美観向上、遮音性、断熱性、防犯性の向上等を図ることができる。
【００１８】
また、ドア本体の枠や表面材には、気密材を取付けるための溝を加工する必要がないため、ドア本体のコストを低減できる。また、既設のドア枠が健全である場合には、ドア本体のみを交換すればよいため、新設ドア枠が不要になるので、枠カバー工法に比較して安価にドアを施工できる。
【００１９】
請求項２の発明によれば、気密材に設ける取付け部を、先端を尖らせた形状に形成すると共に、前記取付け部が前記ドア本体の見込み面と前記固定部材との間に押し込まれて取付けられる構造としたので、ドア本体に固定部材を取付けた後、気密材をドア本体に後付けすることが可能となり、気密材の取付けが容易となる。
【００２０】
請求項３の発明によれば、気密材の取付け部の室内側部分を固定部材とほぼ同じに形成したので、ドア開閉の際にドア本体とドア枠との間で指を挟んで怪我をする事態の発生を少なくすることができる。
【図面の簡単な説明】
【００２１】
【図１】本発明の玄関ドアの一実施の形態を示す横断面図である。
【図２】本実施の形態の玄関ドアの縦断面図である。
【図３】本実施の形態のドア本体の構成および固定部材の取付け構造を示す横断面図である。
【図４】本発明において、気密材の他の例を示す図である。
【図５】従来の玄関ドアの一例を示す図である。
【図６】従来の玄関ドアの他の例を示す図である。
【図７】従来の玄関ドアの他の例をさらに示す図である。
【図８】従来の玄関ドアの他の例をさらに示す図である。
【発明を実施するための形態】
【００２２】
図１、図２はそれぞれ本発明の玄関ドアの一実施の形態を示す横断面図、縦断面図である。１は玄関開口部に設置されたドア枠であり、このドア枠１は左右の縦枠２，２と上枠３と下枠４とにより構成される。これらの枠２〜４はそれぞれ鋼材を折り曲げて製作されたものである。
【００２３】
５はドア本体であり、このドア本体５は、左右の縦中骨６，６と上下の横中骨７，８とで中骨を組み、その室内側面と室外側面にそれぞれ表面板９，１０を後述の構造で取付けたものである。前記縦横の中骨６〜８は、短手方向の断面形状がコ字形をなす。図３に縦中骨６について例示するように、表面板９，１０を周囲をＬ字形に折り曲げ、その折り曲げ部９ａ，１０ａをその見込み面側において縦中骨６にリベット等の固定具１１により固定する。上下の横中骨７，８に対しても同様の構造で表面板９，１０を中骨７，８に固定してドア本体５を構成する。１２は表面板９，１０を中骨６〜８に固定する前にドア本体５内に収容した断熱および遮音用の充填材である。このドア本体５は、中骨６〜８以外に補強枠を設けて構成してもよい。また、表面板９，１０はリベット等の固定具に限らず、溶接、接着等の固定方法によって中骨７，８や充填材１２等に固定しても良い。
【００２４】
１３は気密材であり、この気密材１３はゴム等の弾性材からなるもので、ドア枠１を構成する縦枠２、上枠３、下枠４の各ドア本体当接面２ａ〜４ａにそれぞれ当接する枠当接部１３ａと、この枠当接部１３ａと一体をなす取付け部１３ｂとを有する。
【００２５】
１４は気密材１３をドア本体５の４周に取付けるための固定部材である。この固定部材１４は、アルミニウム合金製あるいは合成樹脂製押出形材でなる。この固定部材１４は、ドア本体５の4周の見込み面５ｂと固定部材１４との間で取付け部１３ｂを挟持し、リベット等の固定具１５によりドア本体の4周の見込み面５ｂに固定して取付ける。気密材１３の取付け部１３ｂには、抜け止め用の突起１３ｃを形成し、固定部材１４には、この突起１３ｃに係止して気密材１３を抜け止めする係止部１４ａを設ける。
【００２６】
図３に示すように、この実施の形態においては、中骨６〜８に表面板９，１０を固定する固定具１１と固定部材１４との干渉を避けるため、固定部材１４におけるドア本体５の見込み面５ｂ側に突出させて複数の突条１４ｂを形成し、各突条１４ｂ，１４ｂ間の空間に表面板固定用の固定具１１を位置させる。また、固定部材１４をドア本体５に固定する固定具１５は、固定部材１４の長手方向について固定具１１と異なる位置に配設する。なお、固定部材１４に突条１４ｂを設け無い場合、固定具１１と固定部材１４との干渉を避けるため、固定部材１４の固定具１１に対面する箇所を切削加工してもよい。また、固定具１１を用いず、固定部材１４との干渉が無い場合には、固定部材１４に突条１４ｂを設ける必要がない。
【００２７】
図１において、１６はドア本体５をドア枠１の一方の縦枠２に取付ける蝶番である。図１、図２に示すように、ドア本体５を閉じた状態においては、気密材１３の枠当接部１３ａはドア本体５の室内側見付け面５ａとドア枠１のドア本体当接面２ａ〜４ａとの間で挟持されて圧縮され、気密性、遮音性を保つ。
【００２８】
本実施の形態のドアは、ドア枠１が既設のドア枠であっても新設のドア枠であっても適用することが可能である。また、ドア本体５に対し、工場において気密材１３および固定部材１４を予め取付けておけば、ドア本体を設置する現場におけるドア本体設置工事が簡単となる。しかし、ドア本体５とは別に気密材１３や固定部材１４を準備しておき、現場においてドア本体５に気密材１３や固定部材１４を取付けてドア本体５の設置工事、交換工事を行なうことも可能である。
【００２９】
ここで、交換前のドア本体が１枚構造の鋼鈑を用いたものの場合には、この実施の形態で示すように２重の表面板９，１０を用い、ドア本体５内に断熱および遮音用の充填材１２を充填した構造とすることにより、断熱性、遮音性、防犯性に優れたドアを設置することができる。
【００３０】
本実施の形態のドアおよびドアの施工方法によれば、玄関開口部に固定されたドア枠１が既設のドア枠である場合、新設ドア枠やカバー材を付設する必要がないため、開口部の縦横の幅を狭めたり、開口部から玄関の前に枠が突出することがない。このため、開口幅が狭い場合であっても、有効開口や玄関前のスペースまたは廊下の開口面積を狭めずに、新しいドア本体５の施工が可能となる。このため、新しいドア本体５の施工によって、従来の枠カバー工法による場合の、家具や家電の買い替えや引越しの際に重大な支障をきたすという不具合を解消することができる。また、新しいドア本体５を設置することにより、開口部を狭くすることなく、美観向上、遮音性、断熱性、防犯性の向上等を図ることができる。
【００３１】
また、ドア本体５の中骨６〜８や表面材９，１０には、気密材１３を取付けるための溝を加工する必要がないため、ドア本体５のコストを低減できる。また、既設のドア枠１が健全である場合には、ドア本体５のみを交換すればよいため、新設ドア枠が不要になるので、枠カバー工法に比較して安価にドアを施工できる。
【００３２】
本発明を実施する場合、気密材や固定部材としては前記実施の形態以外に各種構造が採用可能である。例えば気密性１３の枠当接部を中空状に形成するのではなく、図４（Ａ）に示すように、弾性片状の枠当接部１３ｄとした構造にしてもよい。また、図４（Ｂ）に示すように、枠当接部は半円弧状ではなく、複数の円弧部からなる枠当接部１３ｅとしてもよい。
【００３３】
図４（Ｃ）や図４（Ｄ）に示す例は、気密材１３の取付け部１３ｆの厚みを固定部材１４と同様の厚みとし、その厚みを持たせた取付け部１３ｆを固定部材１４に近接させて取付ける構造としたものである。この構造によれば、ドアを閉める際に指をドア本体５とドア枠１との間に挟んだとしても、弾性のある気密材１３とドア枠１の縦枠２との間で挟むこととなるので、怪我をする事態の発生を少なくすることができる。
【００３４】
図４（Ｅ）に示す例は、固定部材１４の室外側端部１４ｃをドア本体５の室外側見付け面５ｃに当接させる構造として、固定部材１４のドア本体５に対する取付け強度を高めると共に室外側端部を「意匠部材」として兼用しようとしたものである。
【００３５】
図４（Ｆ）に示す例は、気密材１３の取付け部１３ｂを、取付け部１３ｂの室外側が尖った形状に形成し、前記取付け部１３ｂが前記見込み面５ｂと前記固定部材１４との間に押し込まれて取付けられる構造としたものである。またこの例においては、この取付け部１３ｂに１個または図示のように複数個の抜け止め片１３ｇを設け、この抜け止め片１３ｇを固定部材１４の係止部１４ａに係止させて抜け止めしたものである。
【００３６】
図４（Ｇ）に示す例は、気密材１３の取付け部１３ｈをその先端が尖った形状に形成し、枠当接部１３ｉをスポンジにより構成したものである。図４（Ｆ），（Ｇ）の構成によれば、前記取付け部１３ｂ、１３ｈを前記ドア本体５の見込み面５ｂと前記固定部材１４との間に押し込まれて取付けられる構造としたので、ドア本体５に固定部材１４を取付けた後、気密材１３をドア本体５に後付けすることが可能となり、気密材１３の取付けが容易となる。
【００３７】
以上本発明を実施の形態により説明したが、本発明は、上記実施の形態に限らず、本発明の要旨を逸脱しない範囲において、種々の変更、付加が可能である。
【符号の説明】
【００３８】
１：ドア枠、２：縦中骨、３：上中骨、４：下中骨、２ａ〜４ａ：ドア本体当接面、５：ドア本体、６：縦中骨、７，８：横中骨、９，１０：表面板，９ａ，１０ａ：折り曲げ部、１１：固定具、１２：充填材、１３：気密材、１３ａ：枠当接部、１３ｂ：取付け部、１３ｃ：突起、１３ｄ：枠当接部、１３ｅ：枠当接部、１３ｆ：取付け部、１３ｇ：抜け止め片、１４：固定部材、１４ａ：係止部、１４ｂ：突条、１５：固定具、１６：蝶番
【図１】
2012180686.tif 000003
【図２】
2012180686.tif 000004
【図３】
2012180686.tif 000005
【図４】
2012180686.tif 000006
【図５】
2012180686.tif 000007
【図６】
2012180686.tif 000008
【図７】
2012180686.tif 000009
【図８】
2012180686.tif 000010